(57)【特許請求の範囲】
【請求項１】
勾配屋根の屋根下地面（１）上に、その勾配方向及び桁行方向に沿って複数の下地材（２）を並設するとともに、これら下地材（２）上に植栽マット（３）を設置した勾配屋根の緑化構造であって、前記下地材（２）は、勾配方向に隣接する軒側下地材（２）の棟側端部（１１）に係合する軒側端部（１０）と、勾配方向に隣接する棟側下地材（２）の軒側端部（１０）に係合する棟側端部（１１）と、これら軒側端部（１０）と棟側端部（１１）を連結する植栽マット設置部（１２）とを備え、前記植栽マット設置部（１２）は、その勾配方向に沿った両側端が側壁等の立ち上がりのない開放状態となっていて、前記植栽マット（３）は、その軒側端部が前記下地材（２）の軒側端部（１０）に沿って取り付けた止付具（４０）によって保持された状態で、複数の固定具（４１）によって前記下地材（２）の植栽マット設置部（１２）の上面に固定され、桁行方向に隣接する前記植栽マット（３）の勾配方向に沿った側端面同士が、互いに当接若しくは僅かな隙間をあけて対向配置され、勾配方向に隣接する前記植栽マット（３）の上面同士が、互いに段差状に配置されていることを特徴とする勾配屋根の緑化構造。
【請求項２】
前記止付具（４０）は、前記植栽マット（３）の軒側端面に当接する立ち上がり部（４３）と、この立ち上がり部（４３）の上端から棟側へ向かって延設されて、前記植栽マット（３）の軒側上面を押さえ付ける押し付け部（４４）とを備え、前記立ち上がり部（４３）に複数の水抜き孔（４５）が桁行方向に間隔をあけて形成されるとともに、前記押し付け部（４４）に複数の切欠溝（４６）が桁行方向に間隔をあけて形成されている請求項１記載の勾配屋根の緑化構造。
【請求項３】
前記固定具（４１）は、前記下地材（２）及び植栽マット（３）を貫通する軸部（５０）と、この軸部（５０）に取り付けられて、前記下地材（２）及び植栽マット（３）を上下から挟み込む挟持部（５１）（５３）とを備え、前記下地材（２）の軸部貫通部位に防水処理が施されている請求項１又は２記載の勾配屋根の緑化構造。
【請求項４】
前記植栽マットは、苔を植え付けた苔マット（３）からなる請求項１乃至３のいずれかに記載の勾配屋根の緑化構造。
【発明の詳細な説明】
【技術分野】
【０００１】
この発明は、戸建て住宅等の勾配屋根を緑化してなる緑化構造に関する。
【背景技術】
【０００２】
近年、都市部においては、建物自体や街並みの美観向上、居住者や近隣への癒し効果、建物内の温度環境の改善、ＣＯ２の削減やヒートアイランド現象の緩和等を目的として、建物の緑化対策が進められている。この建物の緑化対策としては、建物の屋上面において植物を植栽した屋上緑化、建物の外壁面において植物を植栽した壁面緑化が一般的であり、また戸建て住宅の勾配屋根において植物を植栽する勾配屋根緑化も見受けられる。
【０００３】
勾配屋根緑化に際しては、植栽部分の勾配方向への滑りを防止するといった対策が必要となる。例えば特許文献１には、植栽マットの滑りを防止するアングルを備えた複数の下地材を、勾配屋根の屋根下地面上にその勾配方向及び桁行方向に沿って順次並設して、それら下地材上に植栽マットを設置した勾配屋根の緑化構造が開示されている。
【０００４】
【特許文献１】特開２００４−１５０１３９号公報
【発明の開示】
【発明が解決しようとする課題】
【０００５】
しかしながら、従来の勾配屋根の緑化構造においては、下地材上に植栽マットを単に載置しているだけであって、植栽マットの勾配方向への滑りはアングルによって防止することができるものの、下地材に対する植栽マットの固定が十分になされておらず、例えば強風や激しい降雨、施工時やメンテナンス時の踏み付け等によって植栽マットがずれ動いて局部的に盛り上がったり、場合によっては部分的にめくれ上がることがあった。
【０００６】
また、特許文献１においては、下地材に設けた突起物に、植栽マットに植え付けた植物の根を絡み付かせることで、下地材に対して植栽マットを定着させることも提案されているが、この場合でも植栽マットの固定強度としては十分と言えるものではなく、依然として上記のような不具合が生じる恐れがあった。
【０００７】
さらに、下地材に形成した方形枠内に、植栽マットを嵌め込むようにすることで、植栽マットのずれ動きを防止することも考えられるが、この場合には、勾配屋根の屋根面において、植栽マットが下地材の方形枠によって区画された状態で碁盤目のように表れることになり、勾配屋根としての意匠性が損なわれるといった不具合が生じる恐れがあった。
【０００８】
この発明は、上記不具合を解消して、植栽マットを下地材に安定して固定しながらも、勾配屋根の意匠性の向上を図ることができる勾配屋根の緑化構造の提供を目的とする。
【課題を解決するための手段】
【０００９】
上記課題を解決するため、この発明の勾配屋根の緑化構造は、勾配屋根の屋根下地面１上に、その勾配方向及び桁行方向に沿って複数の下地材２・・を並設するとともに、これら下地材２・・上に植栽マット３・・（例えば、苔を植え付けた苔マット３・・）を設置したものであって、前記下地材２は、勾配方向に隣接する軒側下地材２の棟側端部１１に係合する軒側端部１０と、勾配方向に隣接する棟側下地材２の軒側端部１０に係合する棟側端部１１と、これら軒側端部１０と棟側端部１１を連結する植栽マット設置部１２とを備え、前記植栽マット設置部１２は、その勾配方向に沿った両側端が側壁等の立ち上がりのない開放状態となっていて、前記植栽マット３は、その軒側端部が前記下地材２の軒側端部１０に沿って取り付けた止付具４０によって保持された状態で、複数の固定具４１・・によって前記下地材２の植栽マット設置部１２の上面に固定され、桁行方向に隣接する前記植栽マット３・・の勾配方向に沿った側端面同士が、互いに当接若しくは僅かな隙間をあけて対向配置され、勾配方向に隣接する前記植栽マット３・・の上面同士が、互いに段差状に配置されていることを特徴とする。
【００１０】
具体的に、前記止付具４０は、前記植栽マット３の軒側端面に当接する立ち上がり部４３と、この立ち上がり部４３の上端から棟側へ向かって延設されて、前記植栽マット３の軒側上面を押さえ付ける押し付け部４４とを備え、前記立ち上がり部４３に複数の水抜き孔４５・・が桁行方向に間隔をあけて形成されるとともに、前記押し付け部４４に複数の切欠溝４６・・が桁行方向に間隔をあけて形成されている。
【００１１】
また、前記固定具４１は、前記下地材２及び植栽マット３を貫通する軸部５０と、この軸部５０に取り付けられて、前記下地材２及び植栽マット３を上下から挟み込む挟持部５１、５３とを備え、前記下地材２の軸部貫通部位に防水処理が施されている。
【発明の効果】
【００１３】
この発明の勾配屋根の緑化構造では、下地材上に植栽マットを設置するにあたって、止付具によって植栽マットの軒側端部を保持した状態で、複数の固定具によって下地材の上面に植栽マットを固定しているので、植栽マットを下地材に安定して固定することができ、例えば強風や激しい降雨、施工時やメンテナンス時の踏み付け等によって、植栽マットがずれ動いて局部的に盛り上がったり、部分的にめくれ上がるといった不具合を防止することができる。
【００１４】
しかも、桁行方向に隣接する植栽マットの勾配方向に沿った側端面同士を、互いに当接若しくは僅かな隙間をあけて対向配置しているので、植栽マットが桁行方向に連続して一体感を持たせることができ、また勾配方向に隣接する植栽マットの上面同士を、互いに段差状に配置しているので、桁行方向に沿った複数列の水平ラインが屋根面に表れて、瓦を葺設したような外観を呈することになり、これによって勾配屋根の意匠性を高めることができる。
【００１５】
また、植栽マットの軒側端面に当接する止付具の立ち上がり部に水抜き孔を形成することで、植栽マットに溜まった過剰な雨水を勾配を利用しながら良好に排水することができ、また植栽マットの軒側上面を押さえ付ける止付具の押し付け部に切欠溝を形成することで、植栽マットの植物が切欠溝を介して延び出て押し付け部の殆どを覆い隠すことから、押し付け部が目立ち難くなって植栽面の外観を良好に維持することができる。
【００１６】
さらに、固定具においては、下地材及び植栽マットを貫通する軸部に取り付けた挟持部によって、下地材及び植栽マットを上下から挟み込むようにしていることから、上側の挟持部を軸部から取り外すだけで、植栽マットを下地材から簡単に取り外して交換等を行うことができ、メンテナンス性を高めることができる。しかも、下地材の軸部貫通部位に防水処理を施すことによって、植栽マットにおいて保水される水分が貫通部位から漏れ出ないようにして、防水性を高めることができる。
【００１７】
さらにまた、植栽マットとして、苔を植え付けた苔マットを使用することで、現場施工の省力化、屋根荷重の軽量化を図ることができるとともに、灌水、施肥、刈り込み等の施工後のメンテナンスをほとんど不要とすることができる。
【発明を実施するための最良の形態】
【００１８】
以下、この発明の実施形態を図面に基づいて詳細に説明する。この発明の一実施形態に係る勾配屋根の緑化構造は、図１に示すように、勾配屋根の屋根下地面１上に、その勾配方向及び桁行方向に沿って複数の下地材２・・を並設するとともに、これら下地材２・・上に植栽マットとしての苔マット３・・を設置することによって構成されている。苔は、空気中から水分や養分を摂取して生育するため、生育に際して土壌が不要であり、また水分が供給されない状態では仮死状態となり、雨水等が供給されると即座に再生するといったように乾燥に強い特性を有している。このため苔マット３・・を使用した緑化においては、現場施工の省力化、屋根荷重の軽量化を図ることができるとともに、灌水、施肥、刈り込み等の施工後のメンテナンスをほとんど不要とすることができる。
【００１９】
屋根下地面１は、図１、図５乃至図７に示すように、野地板５上にアスファルトルーフィング６及びルーフテープ７を敷設することによって構成された防水面である。また、図１中、Ａは勾配方向、Ｂは桁行方向を示している。
【００２０】
下地板２は、例えば軽量な鋼板を折曲形成してなり、図２及び図３に示すように、勾配方向に隣接する軒側下地材２に係合するための軒側端部１０と、勾配方向に隣接する棟側下地材２に係合するための棟側端部１１と、これら軒側端部１０と棟側端部１１を連結する苔マット設置部１２とを備えている。この下地板２は、勾配方向に沿った働き寸法の水平投影が約２５０ｍｍとされ、桁行方向に沿った幅寸法の水平投影が約２５００ｍｍとされていて、１ユニットを大型化している。
【００２１】
苔マット設置部１２は、軒側先端が下向きにやや湾曲した略平板状に形成されていて、その勾配方向に沿った両側端においては側壁等が立ち上がっておらず開放した状態となっている。この苔マット設置部１２の裏面には、図２及び図３に示すように、例えば合成樹脂製の発泡体からなる厚肉の断熱材１３が取り付けられている。この断熱材１３は、下地材２を屋根下地面１上に設置したときに、屋根下地面１と苔マット設置部１２の裏面との間の隙間を埋めるような形状となっている。
【００２２】
また、軒側端部１０は、苔マット設置部１２の軒側先端から下向きに延びる垂下片２０と、この垂下片２０の下端を棟側に折り返してなる係合片２１とを備えている。棟側端部１１は、苔マット設置部１２の棟側先端から棟側に延びる軒側開放の略Ｕ字形の係合溝片２２と、この係合溝片２２の先端を棟側に折り返してなる略Ｚ字形の固定片２３とを備えている。
【００２３】
苔マット３は、例えば合成樹脂製の複数の線材を絡み合わせた網状体の空隙部分に紙や不織布等の苔定着材を充填してなる基盤部３０と、この基盤部３０に例えばスナゴケやハイゴケ等を植え付けてなる苔部３１とからなる。なお、苔マット３としては、このような構造のものだけに限定されるものではなく、苔を植え付けたマット状のものであればどのような構造のものであっても良い。
【００２４】
このような苔マット３・・は、下地材２の苔マット設置部１２のほぼ全面を覆うように、苔マット設置部１２上に横並びに設置され、その軒側端部が下地材２の軒側端部１０に沿って取り付けた止付具４０によって保持された状態で、複数の固定具としてのリベット４１・・によって下地材２の苔マット設置部１２の上面に固定されていて、例えば強風や激しい降雨、施工時やメンテナンス時の踏み付け等によって、苔マット３・・がずれ動いて局部的に盛り上がったり、部分的にめくれ上がるといった不具合を防止している。
【００２５】
止付具４０は、図２及び図３に示すように、例えば金属製の帯板を略Ｌ字状に折曲形成してなり、下地材２における軒側端部１０の垂下片２０にリベット４２・・によって取り付けられて、苔マット３・・の桁行方向に沿った軒側端面に当接して苔マット３・・の勾配方向への滑りを防止する立ち上がり部４３と、この立ち上がり部４３の上端から棟側に延出して、苔マット３・・の桁行方向に沿った軒側上面を押さえ付ける押し付け部４４とを備えている。
【００２６】
また、止付具４０の立ち上がり部４３には、複数の水抜き孔４５・・が桁行方向に間隔をあけて形成されるとともに、押し付け部４４には、棟側開放の複数の切欠溝４６・・が桁行方向に間隔をあけて形成されている。このように、苔マット３・・の軒側端面に当接する立ち上がり部４３に水抜き孔４５・・を形成することで、苔マット３・・に溜まった過剰な雨水を勾配を利用しながら良好に排水することができる。また、苔マット３・・の軒側上面を押さえ付ける押し付け部４４に切欠溝４６・・を形成することで、苔マット３の苔部３１が切欠溝４６・・を介して延び出て押し付け部４４の殆どが覆い隠されることから、押し付け部４４が目立ち難くなって苔面の外観を良好に維持することができる。なお、立ち上がり部４３の水抜き孔４５・・と押し付け部４４の切欠溝４６・・とを、連続させて一体に形成しても良い。
【００２７】
リベット４１は、図３及び図４に示すように、下地材２及び苔マット３を貫通する軸部５０と、この軸部５０に取り付けられた第１、第２、第３挟持部５１、５２、５３とを備えている。
【００２８】
軸部５０は、その一端部に第１挟持部としてのフランジ５１が一体的に設けられ、そのフランジ５１を下地材２の苔マット設置部１２の下面に当接させるようにして、苔マット設置部１２に形成した貫通孔１２ａ及び苔マット３を貫通している。第２、第３挟持部５２、５３は、中央部分に挿入孔５２ａ、５３ａを有する略円盤状に形成されている。そして、第２挟持部５２の挿入孔５２ａに軸部５０を圧入させた状態で、第２挟持部５２を下地材２の苔マット設置部１２の上面に当接させることで、フランジ５１と第２挟持部５２とによって苔マット設置部１２を上下から挟み込むようにしている。また、第３挟持部５３の挿入孔５３ａに軸部５０を圧入させた状態で、第３挟持部５３を苔マット３の上面に当接させることで、フランジ５１と第３挟持部５３とによって下地材２の苔マット設置部１２及び苔マット３を上下から挟み込むようにしている。従って、第３挟持部５３を軸部５０から取り外せば、苔マット３を簡単に取り外すことができ、下地材２を取り外すような面倒な作業を強いられることなく、苔マット３の交換等を容易に行うことができる。
【００２９】
さらに、フランジ５１の上面には、例えばゴム製の防水材５５が取り付けられており、この防水材５５によって苔マット設置部１２の貫通孔１２ａ付近をシールしている。すなわち、下地材２の軸部貫通部位に防水処理が施されており、これによって苔マット３において保水される水分が貫通孔１２ａから漏れ出ないようにしている。なお、防水材５５は、フランジ５１の上面だけでなく、第２挟持部５２の下面に取り付けるようにしても良い。
【００３０】
このようなリベット４１・・による止め付け箇所は、１枚の苔マット３に対して６箇所設けているが、苔マット３のずれやめくれが生じないように有効に設ければ良い。また、このようなリベット４１・・による止め付けにあたって、苔マット３の上面には、軸部５０の他端部及び第３挟持部５３が表れることになるが、これらは苔マット３の上面に対して非常に小さく、しかも苔マット３の苔部３１の成長によりその殆どが覆い隠されることから、苔面の外観を損なうことはない。
【００３１】
上記のような下地材２への苔マット３の設置は、基本的には予め工場等で済ませておくが、現場施工に際しての足場の確保等から、勾配屋根の要所要所に設けられる下地材２に対しては現場でなされることもある。
【００３２】
図５乃至図７は、苔マット３を設置した下地材２の施工状態を示している。施工に際しては、下地材２・・を、桁行方向に沿って敷設しながら、軒側から棟側に向かって順次葺いていく。
【００３３】
このとき、最も軒側に位置する下地材２Ａにおいては、図５に示すように、その軒側端部１０の係合片２１を勾配屋根の屋根下地面１の軒先に取り付けた軒先スタータ６０に係合して、棟側端部１１の固定片２３を屋根下地面１にビス６１止めすることによって、屋根下地面１上に設置している。この下地材２Ａの棟側に位置する下地材２Ｂにおいては、図６に示すように、その軒側端部１０の係合片２１を下地材２Ａの棟側端部１１の係合溝片２２に係合して、棟側端部１１の固定片２３を屋根下地面１にビス６１止めすることによって、屋根下地面１上に設置している。そして、同様にして下地材２Ｂ・・を棟近くまで葺いていき、最も棟側に位置する下地材２Ｃにおいては、図７に示すように、その軒側端部１０の係合片２１を下地材２Ｂの棟側端部１１の係合溝片２２に係合して、棟側端部１１の係合溝片２２に換気棟包み６２下側の瓦桟６３に取り付けた係止片６４を係合させることで、屋根下地面１上に設置している。なお、屋根下地面１のケラバ端部に位置する下地材２のケラバ側端部は、図示しないケラバ水切りによって覆われていて、見栄えを良好にしている。
【００３４】
この施工状態において、桁行方向に隣接する下地材２・・の苔マット設置部１２・・上に設置した苔マット３・・の勾配方向に沿った側端面同士が、互いに当接若しくは僅かな隙間をあけて対向配置されている。また、勾配方向に隣接する下地材２・・の植栽マット設置部１２・・上に設置した苔マット３・・の上面同士が、見付け２５ｍｍ程度の段差状に配置されている。これにより、苔マット３・・が、桁行方向に連続性を維持しながら、勾配方向に段差状に配された状態となり、全体に亘って一体感を持たせながらも、桁行方向に沿って表れる複数列の水平ラインが外観を引き立てて、勾配屋根の意匠性を高めている。
【００３５】
この発明は、上記実施形態に限定されるものではなく、この発明の範囲内で上記実施形態に多くの修正及び変更を加え得ることは勿論である。例えば、上記実施形態の緑化構造においては、植栽マットとして苔マットを用いていたが、必ずしも苔マットに限らず、芝生やその他植物を植栽した植栽マット、さらには保水性を有する人工緑化物をマット状に成形したものを用いるようにしても良い。
【図面の簡単な説明】
【００３６】
【図１】この発明の一実施形態に係る勾配屋根の緑化構造における部分破断正面図である。
【図２】苔マットを設置した下地材の斜視図である。
【図３】苔マット及び下地材を分解して示す斜視図である。
【図４】リベットによる苔マットの固定状態を示す縦断面図である。
【図５】勾配屋根の軒側付近の縦断面図である。
【図６】勾配屋根の軒側と棟側との間の中間付近の縦断面図である。
【図７】勾配屋根の棟側付近の縦断面図である。
【符号の説明】
【００３７】
１・・屋根下地面、２・・下地材、３・・植栽マット（苔マット）、１０・・軒側端部、１１・・棟側端部、１２・・植栽マット設置部、４０・・止付具、４１・・固定具、４３・・立ち上がり部、４４・・押し付け部、４５・・水抜き孔、４６・・切欠溝、５０・・軸部、５１、５３・・挟持部
【図１】
0004822227.tif 000002
【図２】
0004822227.tif 000003
【図３】
0004822227.tif 000004
【図４】
0004822227.tif 000005
【図５】
0004822227.tif 000006
【図６】
0004822227.tif 000007
【図７】
0004822227.tif 000008